(57)【要約】　【課題】　異なる環境に応じて使用でき、取り外し可能なスタンドを備える便利なフラットディスプレイを提供する。　【解決手段】　第１スタンドと、該第１スタンドに着脱可能に接続される第２スタンドと、前記第１スタンドが前記第２スタンドに接続された状態で前記第２スタンドにより支持されるか、又は直接前記第１スタンドにより支持されるディスプレイ本体とを備えるフラットディスプレイ。【選択図】　　　図３
2004118191.tif 000002
【特許請求の範囲】
【請求項１】
　第１スタンドと、
　該第１スタンドに着脱可能に接続される第２スタンドと、
　前記第１スタンドが前記第２スタンドに接続された状態で前記第２スタンドにより支持されるか、又は直接前記第１スタンドにより支持されるディスプレイ本体と
　を備えることを特徴とするフラットディスプレイ。
【請求項２】
　前記第１スタンドは前記ディスプレイ本体に蝶着されていることを特徴とする請求項１に記載のフラットディスプレイ。
【請求項３】
　前記第２スタンドは平坦な底面を有していることを特徴とする請求項１に記載のフラットディスプレイ。
【請求項４】
　前記第２スタンドは中空であり、前記第１スタンドと前記第２スタンドとが接続されるとき前記第１スタンドを収納すべくなしてあることを特徴とする請求項１に記載のフラットディスプレイ。
【請求項５】
　前記第２スタンドは、前記第２スタンド内へ挿入される前記第１スタンドを案内するレールを内部に有することを特徴とする請求項４に記載のフラットディスプレイ。
【請求項６】
　前記第１スタンドが前記第２スタンド内に収納されているとき前記第１スタンドを押圧すべく前記第２スタンド内に配置されたバネを更に備えることを特徴とする請求項４に記載のフラットディスプレイ。
【請求項７】
　前記第１スタンドは穴部を形成してあり、前記第２スタンドは前記第１スタンドと前記第２スタンドとが接続されるとき前記穴部に係合する係合部を有することを特徴とする請求項４に記載のフラットディスプレイ。
【請求項８】
　前記第２スタンドは更にボタンを有しており、前記第２スタンドを前記第１スタンドから取り外す際に該ボタンを押圧することによって前記係合部を前記穴部から解放すべくなしてあることを特徴とする請求項７に記載のフラットディスプレイ。
【発明の詳細な説明】
【技術分野】
【０００１】
　本発明はディスプレイに関し、特に、取り外し可能なスタンドを備えるフラットディスプレイに関するものである。
【背景技術】
【０００２】
　ディスプレイ技術の発展に伴って、ディスプレイのコンパクト化、軽量化が進んでいる。そのためフラットディスプレイはここ数年、従来のブラウン管(ＣＴＲ)に取って代わってきた。フラットディスプレイが軽量化され、その輻射量が低減されて以来、フラットディスプレイは重要な電子製品となった。
【０００３】
　上述の利点のように、フラットディスプレイは持ち運びが可能で、種々の異なる場において使用することができる。様々な環境でのフラットディスプレイの実用性を拡大するために、弾力性のあるベーススタンドが必要となってくる。
【０００４】
　従来のフラットディスプレイのベーススタンドは通常、ディスプレイ全体を支持する平坦なベース台を有していた。しかし、このようなベースを有するフラットディスプレイは平坦な面にしか設置できない。更に、安定した支持を実現するために構成された従来のベーススタンドは通常重く、持ち運びにくい。
【特許文献１】台湾公告第３３６７７５号
【発明の開示】
【発明が解決しようとする課題】
【０００５】
　本発明の目的は、取り外し可能なスタンドを備えるフラットディスプレイを提供することにある。
【課題を解決するための手段】
【０００６】
　本発明に係るフラットディスプレイは、第１スタンドと、該第１スタンドに着脱可能に接続される第２スタンドと、前記第１スタンドが前記第２スタンドに接続された状態で前記第２スタンドにより支持されるか、又は直接前記第１スタンドより支持されるディスプレイ本体であって、前記第１スタンドが蝶着されているディスプレイ本体とを備える。従ってユーザは選択的に、異なる環境に応じてベーススタンド又は簡易スタンドを使用してフラットディスプレイを設置することができる。
【０００７】
　特に、長期間設置するか又は平坦な面に設置する場合、本発明のフラットディスプレイを安定に支持するためにベーススタンドを用いることができる。また、本発明のフラットディスプレイを頻繁に移動させたり平坦でない面に設置したりすることが必要な場合には、簡易スタンドを用いて設置することができる。更に、ユーザがフラットディスプレイをより運び易く、動かし易くするために、フラットディスプレイに取っ手が設けられる。
【発明の効果】
【０００８】
　本発明のフラットディスプレイによれば、取り外し可能なベーススタンドを提供することができ、そのベーススタンドと簡易スタンドとを容易に接続したり取り外したりすることができる。本発明の利点は、ユーザが異なる環境に応じて選択的に、ベーススタンド又は簡易スタンドを用いてフラットディスプレイを設置することが可能となることである。
【発明を実施するための最良の形態】
【０００９】
　本発明に関する目的、特徴及び長所がより明確に理解されるよう、以下に実施の形態を例示し、図面を参照しながら詳述する。
　図１に示すように、本発明のフラットディスプレイにおいては、ユーザによるフラットディスプレイの持ち上げを容易にすべくディスプレイ本体１と取っ手２１とが接続された構成としてある。
【００１０】
　図２において、フラットディスプレイは更に、取っ手２１を備えた運搬部２と、これに形成された複数のネジ穴２２とを含んでいる。運搬部２とディスプレイ本体１とはネジ穴２２におけるネジ(不図示)により結合している。簡易スタンド４は蝶番３を備えた運搬部２と接続されている。更に、簡易スタンド４は、蝶番３により、簡易スタンド４及びディスプレイ本体１が小さい角度(図７参照)又は大きい角度(図８参照)をなすよう所定の範囲内で回転することができる。
【００１１】
　尚、運搬部２へ接続する代わりに、簡易スタンド４を直接ディスプレイ本体へ蝶着することも可能である。
【００１２】
　図３において、フラットディスプレイは簡易スタンド４に接続されたベーススタンド５により支持されている。ベーススタンド５は中空となっており、簡易スタンド４とベーススタンド５とが接続されるとき、簡易スタンド４を収納すべくなしてある。更に、ベーススタンド５が安定した支持を実現できるように、ベーススタンド５は平坦な底面を有する台５１を備えている。
【００１３】
　図４及び図５において、一対の平行なガイドレール５２及び係合部５３がベーススタンド５内に配置されている。簡易スタンド４とベーススタンド５とを接続するとき、簡易スタンド４は、レール５２の底部に配置されているバネ５４に接触するまで、ガイドレール５２に沿って挿入される。簡易スタンド４を下方へ押圧し続けると、簡易スタンド４に対するバネ力が増し、係合部５３は簡易スタンド４の穴部４１に係合し、簡易スタンド４とベーススタンド５とが接続固定される。
【００１４】
　係合部５３が内部にバネ(不図示)を備えていることから、穴部４１が係合部５３の位置へ移動するとき、係合部５３はバネ力によって自発的に穴部４１に係合する。その結果、簡易スタンド４とベーススタンドとが接続される。
【００１５】
　更に、ユーザは、ボタンを押圧することによって簡易スタンドからベーススタンドを取り外すことができる。図４において、ボタン５６はベーススタンド５の背部に配置されている。ボタン５６には突起部５６１が接続されており、カバー５５の穴部５５１を貫通して係合部５３と接続する。ボタン５６を押圧したとき、係合部５３内のバネに圧力が加わり、係合部５３は穴部４１から切り離される。このように、ユーザは容易に取っ手２１を引き上げてベーススタンド５を簡易スタンド４から取り外すことができる。
【００１６】
　図５に示すように、ベーススタンド５と簡易スタンド４とを接続する前に、簡易スタンド４をベーススタンド５内へ完全に挿入する必要がある。図６においては、簡易スタンド４の挿入後、簡易スタンドをベーススタンド５内に収納して接続すべく、穴部４１と係合部５３とが係合する。
【００１７】
　以上、本発明の好適な実施の形態を例示したが、これは本発明を限定するものではなく、本発明の精神及び範囲を逸脱しない限りにおいては、当業者が行い得る種々の変更及び修飾を付加することは可能である。従って、本発明が保護を請求する範囲は、特許請求の範囲を基準とする。
【図面の簡単な説明】
【００１８】
【図１】本発明に係るフラットディスプレイの前面斜視図である。
【図２】本発明に係る簡易スタンドを用いたフラットディスプレイの背面斜視図である。
【図３】本発明に係るベーススタンドを用いたフラットディスプレイの背面斜視図である。
【図４】本発明に係るベーススタンドの分解図である。
【図５】本発明に係る簡易スタンドとベーススタンドとを組み合わせていない状態を示す斜視図である。
【図６】本発明に係る簡易スタンドとベーススタンドとを組み合わせた後の状態を示す斜視図である。
【図７】本発明に係るディスプレイ本体と簡易スタンドとの間に小さい角度を有したフラットディスプレイの側面図である。
【図８】本発明に係るディスプレイ本体と簡易スタンドとの間に大きい角度を有したフラットディスプレイの側面図である。
【符号の説明】
【００１９】
　１　ディスプレイ本体
　２　運搬部
　２１　取っ手
　２２　ネジ穴
　３　蝶番
　４　簡易スタンド
　４１　穴部
　５　ベーススタンド
　５１　台
　５２　ガイドレール
　５３　係合部
　５４　バネ
　５５　カバー
　５５１　穴部
　５６　ボタン
　５６１　突起部
【図１】
2004118191.tif 000003
【図２】
2004118191.tif 000004
【図３】
2004118191.tif 000005
【図４】
2004118191.tif 000006
【図５】
2004118191.tif 000007
【図６】
2004118191.tif 000008
【図７】
2004118191.tif 000009
【図８】
2004118191.tif 000010